(57)【要約】【課題】一種類の支持脚で床パネル中間の支持及び床パネル間の連結・支持を行ない得、かつ床パネルの格子状リブの格子目の内郭寸法に関係なく床パネル間の連結間隔を設定できるようにする。【課題手段】床パネル支持脚の支持板１１には床パネル２の方形格子目２２０の四隅に対応する位置に突起１１０，〜１１０が設けられ、各突起の４突起の中央に対して外側の部位１１０１が前記四隅のリブ交差部のコーナ２２０１に嵌合されて位置決めが行なわれる形状とされ、同じく各突起の内側部位１１０２が前記床パネルの十字状交差連結が行なわれる外周リブ２２１の四隅の各直角コーナ２２１１内側に嵌合されて位置決めが行なわれる形状とされ、連結される床パネルサイドに外周リブ間の間隔をＬ、同リブの厚みをｔとして、前記四突起の対向する内側部位間の間隔ｂがほぼ（Ｌ＋２ｔ）とされている。【選択図】図１−３
2005139786.tif 000002
【特許請求の範囲】
【請求項１】
四角形天板の裏面に格子状リブを有する床パネルと、支持板において床パネルのリブ格子
目への嵌合が行なわれ、または床パネルの十字状交差連結が行なわれ、あるいは床パネル
サイドの連結が行なわれる共用の床パネル支持脚とからなり、床パネル支持脚の支持板に
は床パネルの方形格子目の四隅に対応する位置に突起が設けられ、各突起の４突起の中央
に対して外側の部位が前記四隅のリブ交差部のコーナに嵌合されて位置決めが行なわれる
形状とされ、同じく各突起の内側部位が前記床パネルの十字状交差連結が行なわれる外周
リブの四隅の直角コーナ内側に嵌合されて位置決めが行なわれる形状とされ、連結される
床パネルサイドに外周リブ間の間隔をＬ、同リブの厚みをｔとして、前記四突起の対向す
る内側部位間の間隔ｂがほぼ（Ｌ＋２ｔ）とされていることを特徴とする二重床材。
【請求項２】
一突起を囲む外郭が方形であり、床パネルの外周リブの内側に前記方形の一辺長さｃの間
隔を隔てて横方向及び縦方向ともに補助リブが付設され、外周リブの四隅に内郭寸法がｃ
×ｃの補助の格子目が設けられていることを特徴とする請求項１記載の二重床材。
【請求項３】
床パネル支持脚の支持板の四突起の中央に補助突起が設けられていることを特徴とする請
求項１または２記載の二重床材。
【請求項４】
床パネルのリブ格子目内の天板部分にリブ格子目に接する補助リブが設けられ、該補助リ
ブの高さＴ２が、前記格子状リブの高さＴ１、補助突起の高さＴ３に対し、Ｔ２＜Ｔ１−
Ｔ３とされていることを特徴とする請求項１〜３何れか記載の二重床材。
【請求項５】
補助リブが格子目の向かい合う頂点を結ぶ形で設けられていることを特徴とする請求項４
記載の二重床材。
【請求項６】
補助リブの高さが床パネルのリブ格子目内の中央に至るほど高くされていることを特徴と
する請求項４または５記載の二重床材。
【請求項７】
床パネルの格子状リブが根元から先端に至るほど薄くされていることを特徴とする請求項
１〜６何れか記載の二重床材。
【請求項８】
請求項１〜7何れか記載の二重床材における床パネルであり、熱可塑性樹脂と木質屑との
混合物からなることを特徴とする二重床材用床パネル。
【請求項９】
熱可塑性樹脂と木質屑とを高速撹拌して熱可塑性樹脂を溶融すると共に両材料を混合し、
該混合物をプレス成形して賦形することを特徴とする請求項８記載の二重床材用床パネル
の製造方法。
【発明の詳細な説明】
【技術分野】
【０００１】
本発明は床基礎上に空間スペースを介して床パネルを配設する二重床の構成部材に関す
るものである。
【背景技術】
【０００２】
オフィス、マンション等の集合住宅の洋間の床構造においては、床基礎面と床面との間
に空間を設けて二重床とし、その空間に電気配線や配管を行なうことがある。
かかる二重床を施工するには、床パネルを床基礎面から所定の高さに支持すること、床
パネルを連結することが必要であり、これらの施工に使用する部材は共用とすることが部
材の管理上、コスト上等から有利である。
従来、床パネルの中間の支持と、床パネルの十字状交差連結とを共通の部材で行なうこ
とは公知である（特許文献１参照）。
【０００３】
【特許文献１】特開平７−２３３６１４号公報
【０００４】
この特許文献１には、図５の（イ）に示すように台盤１１’上にｘ軸を挾んで並立片１
１ｘ，１１ｘを、ｙ軸を挾んで並立片１１ｙ，１１ｙを対称的に立設し、ｘ軸並立片１１
ｘとｙ軸並立片１１ｙとの間に４５°方向の嵌挿片１１ｚを設けた支持脚を用い、図５の
（ロ）のＡで示すように床パネルの格子状リブの十字状交差点と支持脚の中心とを一致さ
せ、支持脚の並立片１１ｘ，１１ｘ間及び並立片１１ｙ，１１ｙ間へ床パネルの格子状リ
ブ２２ｘ，２２ｙを嵌着することにより床パネル裏面中間を支持し、また、図５の（ロ）
のＢで示すように、床パネルの外周リブの入隅コーナ２２ｚを当該支持脚の並立片１１ｙ
と嵌挿片１１ｚと並立片１１ｘとで挾持して床パネル十字状交差箇所を連結すると共に支
持することが開示されている。
【発明の開示】
【発明が解決しようとする課題】
【０００５】
図５の（ロ）のＢにおいて、連結できる床パネルの間隔（外周リブ間の間隔）Ｌはまず
並立片の外巾で規制される。この間隔Ｌを大きくするには、並立片１１ｘ，１１ｘ、１１
ｙ，１１ｙの厚みを大にする必要があり、この厚みを大にすると、嵌挿片１１ｚを放射方
向ｒにずらし、このｒ方向ずらしに伴い並立片１１ｘ，１１ｘ、１１ｙ，１１ｙを±ｘ軸
方向，±ｙ軸方向に遠のく方向にずらす必要がある。従って、並立片が床パネルのリブの
十字状交差箇所に干渉する位置では、床パネル裏面中間への支持脚の嵌合を行ない得ても
、床パネルの交差連結が不可となる。また、図５の（ロ）のＡにおいて、嵌挿片１１ｚが
床パネルリブの十字状交差箇所に干渉する位置では、床パネルの十字状交差連結が可能で
あっても、床パネル裏面中間での支持脚の嵌合が不可となる。更に、床パネル強度に直接
に関係しない円形状リブが必要であり、これが前記干渉を助長しているばかりか、重量／
材料が嵩む不具合もある。
【０００６】
上記の干渉を一般的に説明すると、床パネルの格子状リブの格子目の内郭寸法と連結し
ようとする床パネルの外周格子状リブ間の間隔とが一致しない場合、図６の（イ）のＡに
示すように床パネル間の連結を可能とするように、支持脚の嵌合用突起１１０’の配置を
設定すると、同図のＢに示すように、床パネル裏面中間への支持脚の嵌合が不可となり、
図６の（ロ）のＢに示すように床パネル裏面中間への支持脚の嵌合を可能とするように、
支持脚の嵌合用突起の配置を設定すると、同図のＡに示すように、床パネルの連結を満足
に行ない得ない（がたが生じる）ことになる。
【０００７】
本発明の目的は、一種類の支持脚部材で床パネル中間の支持及び床パネル間の連結・支
持を行ない得、かつ床パネルの格子状リブの格子目の内郭寸法に関係なく床パネル間の連
結間隔を設定できるようにすることにある。
【課題を解決するための手段】
【０００８】
請求項１に係る二重床材は、四角形天板の裏面に格子状リブを有する床パネルと、支持
板において床パネルのリブ格子目への嵌合が行なわれ、または床パネルの十字状交差連結
が行なわれ、あるいは床パネルサイドの連結が行なわれる共用の床パネル支持脚とからな
り、床パネル支持脚の支持板には床パネルの方形格子目の四隅に対応する位置に突起が設
けられ、各突起の４突起の中央に対して外側の部位が前記四隅のリブ交差部のコーナに嵌
合されて位置決めが行なわれる形状とされ、同じく各突起の内側部位が前記床パネルの十
字状交差連結が行なわれる外周リブの四隅の各直角コーナ内側に嵌合されて位置決めが行
なわれる形状とされ、連結される床パネルサイドに外周リブ間の間隔をＬ、同リブの厚み
をｔとして、前記四突起の対向する内側部位間の間隔ｂがほぼ（Ｌ＋２ｔ）とされている
ことを特徴とする。
【０００９】
請求項２に係る二重床材は、請求項１の二重床材において、一突起を囲む外郭が方形で
あり、床パネルの外周リブの内側に前記方形の一辺長さｃの間隔を隔てて横方向及び縦方
向ともに補助リブが付設され、外周リブの四隅に内郭寸法がｃ×ｃの補助の格子目が設け
られていることを特徴とする。
【００１０】
請求項３に係る二重床材は、請求項１または２の二重床材において、床パネル支持脚の
支持板の四突起の中央に補助突起が設けられていることを特徴とする。
【００１１】
請求項４に係る二重床材は、請求項３の二重床材において、床パネルのリブ格子目内の天
板部分にリブ格子目と接する補助リブが設けられ、該補助リブの高さＴ２が、前記格子状
リブの高さＴ１、補助突起の高さＴ３に対し、Ｔ２＜Ｔ１−Ｔ３とされていることを特徴
とする。
請求項５に係る二重床材は、請求項４の二重床材において、補助リブが格子目の向かい合
う頂点を結ぶ形で設けられていることを特徴とする。
【００１２】
請求項６に係る二重床材は、請求項４または５の二重床材において、補助リブの高さが
床パネルのリブ格子目内の中央に至るほど高くされていることを特徴とする。
【００１３】
請求項７に係る二重床材は、請求項１〜６の何れかの二重床材において、床パネルの格
子状リブが根元から先端に至るほど薄くされていることを特徴とする。
【００１４】
請求項８に係る二重床材用床パネルは、請求項１〜７何れかの二重床材における床パネ
ルであり、熱可塑性樹脂と木質屑との混合物からなることを特徴とする。
【００１５】
請求項９は請求項８の二重床材用床パネルの製造方法であり、熱可塑性樹脂と木質屑と
を高速撹拌して熱可塑性樹脂を溶融すると共に両材料を混合し、該混合物をプレス成形し
て賦形することを特徴とする。
【発明の効果】
【００１６】
図１−２から明らかな通り、床パネル支持脚の支持板に設けられた四突起の内側部位間
の間隔ｂと連結しようとする床パネルの外周リブ間の間隔Ｌとリブ厚みｔとの間に、ｂ＝
Ｌ＋２ｔの関係が成立する。また、図１−３から明らかな通り、同上四突起の外側部位間
の間隔ａは、床パネルのリブの格子目内の寸法巾ｗに等しい。ａとｂとの間には、ａ＞ｂ
の関係があるだけである。従って、前記間隔Ｌを（ｗ−２ｔ）〜０の間で自由に設定でき
る。
【発明を実施するための最良の形態】
【００１７】
以下、図面を参照しつつ本発明の実施の形態について説明する。
図は請求項１〜２に係る床パネルと床パネル支持脚を示している。
図１−１の（イ）は床パネル支持脚の上面図を、図１−１の（ロ）は同じく側面図をそ
れぞれ示し、支持板１１と脚１２とからなっている。
図１−２は床パネルの裏面図を示し、天板２１の裏面に格子状リブ２２が設けられてい
る。
図１−３は床パネル支持脚の支持板１１の床パネル２の裏面への嵌合状態や同支持板１
１による床パネルの十字状交差連結状態や床パネルサイド間の連結状態（右上）を示して
いる。
図１−１や図１−３に示すように、床パネル支持脚１の支持板１１には、床パネルの格
子状リブ２２の方形格子目２２０の四隅に対応する位置に突起１１０，〜１１０が設けら
れ、各突起１１０の四突起の中央に対して外側の部位１１０１が図１−３に示すように床
パネル２の格子状リブ２２のリブ格子目２２０のリブ交差コーナ２２０１に嵌合される形
状とされ、図１−３の右上に示すように同各突起１１０の内側の部位１１０２が床パネル
２の外周リブ２２１の四隅の直角コーナ２２１１の内側に嵌合される形状とされている。
【００１８】
前記の各突起１１０の外郭形状は寸法ｃ×ｃの方形であり、前記した各突起の内側部位
の床パネルの外周リブの四隅の直角コーナ内側への嵌合を密嵌状態とするために、図１−
２に示すように、床パネル２の外周リブ２２１の内側に前記方形寸法ｃ×ｃの一辺の長さ
ｃの間隔を隔てて横方向及び縦方向ともに補助リブ２２１ｘ、２２１ｙが付設され、床パ
ネルの外周リブ２２１の四隅に内郭寸法ｃ×ｃの補助格子目２２１０が設けられている。
図１−２からも明らかな通り、連結される床パネルの外周リブ間の間隔Ｌ、リブ厚みｔ
、床パネル支持脚１の突起１１０の対向する内側部位１１０２の間隔ｂとの間には、Ｌ＝
ｂ−２ｔの関係があり、また図１−３からも明らかなように、四突起１１０，〜１１０を
囲む方形外郭の寸法ａ×ａが床パネル２の格子状リブ２２の格子目２２０の内郭寸法に等
しい関係にある。ａとｂとの間には、ａ＞ｂの関係があるだけである。従って、前記間隔
Ｌを（ｗ−２ｔ）〜０〔外周リブからパネル天板がΔＬ突出している場合は、（ｗ−２ｔ
）〜ΔＬ〕の間で自由に設定できる。
【００１９】
上記の実施例では、床パネル支持脚の四突起の各突起を方形としているが、突起の外側
部位が床パネルの格子状リブの格子目のリブ交差コーナに嵌合され、突起の内側部位が床
パネルの外周リブの直角コーナに嵌合されればよく、図２−１の（イ）や（ロ）に示すよ
うに一部が欠切されていても、突起１１０の外側部位１１０１の嵌合代及び内側部位１１
０２の嵌合代を充分に保有させ得れば、その一部欠切は許容される。
図２−２の（イ）や（ロ）はかかる床パネル支持脚の床パネル中間への嵌合状態及び床
パネル支持脚による床パネルの十字状交差連結状態をそれぞれ示している。
【００２０】
前記実施例では、図１−３の右上部分にも示す通り、床パネルの十字状交差連結におい
て、床パネル支持脚の突起１１０を床パネル２の外周リブ２２１の四隅の直角コーナ２２
１１の内側にがたなく密嵌させるために、図１−２の２２１０で示す補助格子目を設けて
いるが、図２−３に示すように床パネル支持脚の支持板１１側に補助突起１１１を設け、
これらの補助突起１１１，〜１１１と四突起１１０，〜１１０の内側部位１１０２とで床
パネル２の外周リブ２２１を挾持するようにしてもよい。
【００２１】
前記の実施例では、床パネル支持脚の四突起の外側部位を床パネルの格子状リブの格子
目の内側コーナに嵌合させる形状としているが、図２−４に示すように、同格子目２２０
のリブ交差箇所の内側コーナ２２０１以外のコーナ、例えば２２０１’に嵌合させる形状
とすることも可能である。
【００２２】
図３−１の（イ）は請求項３に係る二重床材に使用されている床パネル支持脚の上面図
を、図３−１の（ロ）は同じく床パネル支持脚の側面図を示し、支持板の四突起１１０，
〜１１０の中央に中央突起１１００が設けられている。この中央突起１１００の断面形状
は左右・上下対称とすることが好ましい。例えば断面円形、方形とすることが好ましい。
【００２３】
図３−２の（イ）及び（ロ）はこの床パネル支持脚による床パネルのサイド連結状態及
び十字状交差連結状態を示し、中央突起１１００の断面形状が方形とされ、その中央突起
１１００の巾ｄが四突起１１０の内側部位の間隔をｂ、床パネルのリブの厚みをｔとする
と、（ｂ−ｄ）／２≒ｔを満たすように設定されている。従って、床パネルの連結時、前
記した床パネルの補助格子目や床パネル支持脚の補助突起を省略しても、床パネルの外周
リブを中央突起と四突起とで挾持してその間の遊びを無くし使用時のがたつきを排除でき
る。
【００２４】
図４−１は請求項４に係る二重床材の実施例を示している。
図４−１の（イ）は、床パネル２の格子状リブ２２の一格子目２２０を示し、点線で示
す床パネル支持脚の支持板の四突起１１０，〜１１０に重ならないパターンの補助リブ２
２１０が格子目２２０内の天板部分２１０に設けられている。
床パネルの材質が後述する木質屑混合熱可塑性樹脂製で床パネルの天板の厚みが５ｍｍ
以下の場合、方形リブ格子目の一辺の長さは天板厚みの約１５倍が限度あり、これ以上の
格子目寸法では天板の踏み抜きが懸念される。しかし、補助リブ２２１０を設けることに
より前記格子目寸法を３０倍以上に長くできる。従って、床パネル製造のコスト低減、床
パネル支持脚の設置個数の減少による施工性の向上等を図ることができる。
【００２５】
図４−１の（ロ）は請求項４に係る二重床材における床パネル支持脚の支持板と床パネ
ルのリブ格子目との寸法関係を示し、床パネル支持脚の支持板の中央突起１１００の高さ
をＴ２、床パネル天板の補助リブ２２１０の高さをＴ３、床パネルの格子状リブ２２の高
さをＴ１とすると、（Ｔ２＋Ｔ３）＜Ｔ１とされている。従って、床パネルの格子状リブ
を床パネル支持脚の支持板に支承させ、床パネル支持脚による床パネルの支承面積を保証
して床パネル支持状態を安定化できる。
請求項５によれば、上記補助リブ２２１０は図４−２に示すように、リブ格子目２２０の
向かい合う頂点を結ぶ形とすることができる。この補助リブでは、格子状リブ２２と補助
リブ２２１０とが三角形を形成するために、成形時や荷重時の応力に対してより変形し難
くなる。この場合、補助リブ２２１０と四突起１１０，〜１１０とが上下に重なるので、
床パネル天板の補助リブ２２１０の高さＴ３、床パネルの格子状リブ２２の高さＴ１、突
起１１０の高さＴ２０とが、（Ｔ２０＋Ｔ３）＜Ｔ１の関係とされている。
【００２６】
請求項６に係る二重床材においては、前記補助リブの高さが床パネルのリブ格子目内の
中央に至るほど高くされている。
床パネルのリブ格子目内の天板は中央に至るほど格子状リブによる曲げ補強効果が小さ
くなるから、前記補助リブの高さが床パネルのリブ格子目内の中央に至るほど高くして中
央部に至るほど補助リブの曲げ剛性を大にして補助リブによる曲げ補強補強効果を高くす
れば、曲げ強度の一様化により全体の曲げ強度を向上できる。または、強度の同一下、材
料量を低減でき床パネルの軽量化を図ることができる。
【００２７】
請求項７に係る二重床材においては、床パネルの格子状リブが根元から先端に至るほど
薄くされている。従って、床パネルのリブと床パネル支持脚の四突起との嵌合時、嵌合初
期に間隙を介在させ、最終時に一挙に強力に嵌合させることができ、全体的に少ない嵌合
力で容易に確実な固定を得ることが可能である。
【００２８】
請求項８に係る二重床材用床パネルでは、熱可塑性樹脂と木質屑との混合物から成形さ
れており、木質屑のためにクラックが生じ難く、前記の嵌合時、圧縮に応じて具合よく変
形し、良好な作業性で確実な嵌合が得られる。また、難熱伸縮性のために寸法安定性に優
れている。
【００２９】
前記床パネル支持脚には、熱可塑性樹脂や繊維強化等が使用され、これらの材質は前記
の熱可塑性樹脂と木質屑との混合材質に較べ高硬度であるが、床パネルの適度の硬さのた
めに前記嵌合を容易かつ確実に行なうことができる。従って、床パネル支持脚の四突起の
前記外側部位や内側部位を嵌合に対しプラス側公差に設計すること、床パネル支持脚の四
突起の前記外側部位や内側部位に線状突起を設け、これを床パネルのリブに食い込ませる
こと等も可能となる。また、前記のように床パネルの格子状リブを根元から先端に至るほ
ど薄くすれば、抜き勾配のために成形時の離型が容易になり、製品の変歪を防止できる。
【００３０】
前記木質屑としては、鋸屑や鉋屑等の製材廃木、建築廃材チップ等を使用でき、熱可塑
性樹脂としてはポリエチレン、ポリプロピレン等を使用できる。木質屑の割合は１０〜９
０％とすることが好ましい。１０％未満では熱可塑性樹脂の性質が顕在化し、前記の優れ
た強度を保証し難く、９０％を超えると、吸水性が高くなり耐久性が不十分となる。
【００３１】
請求項８に係る二重床材用床パネルの製造方法では、熱可塑性樹脂と木質屑とを高速撹
拌して熱可塑性樹脂を溶融すると共に両材料を混合し、該混合物をプレス成形しており、
熱可塑性樹脂の予熱工程を必要とせず、高速撹拌時に未溶融樹脂が摩擦により優先的に発
熱するので、木質材料の過剰過熱を排除でき、木質材料の炭化を防止つつ木質材料と熱可
塑性樹脂とを均質に混合できる。撹拌中に木質材料の余分な水分が飛散するので木質材料
を予め乾燥する必要がない。従って、簡易な製造工程で良品質の床パネルを製造できる。
【図面の簡単な説明】
【００３２】
【図１−１】本発明に係る二重床材の床パネル支持脚の一例を示す図面である。
【図１−２】本発明に係る二重床材の床パネルの一例を示す図面である。
【図１−３】本発明に係る二重床材の床パネル支持脚の支持板の床パネルへの嵌合状態を示す図面である。
【図２−１】本発明に係る二重床材の床パネル支持脚の上記とは別の例を示す図面である。
【図２−２】同上別例の床パネル支持脚の支持板の床パネルへの嵌合状態を示す図面である。
【図２−３】本発明に係る二重床材の床パネル支持脚の上記とは別の例を示す図面である。
【図２−４】本発明に係る二重床材の床パネル支持脚の上記とは別の例の支持板の床パネルへの嵌合状態を示す図面である。
【図３−１】請求項３の二重床材の床パネル支持脚の一例を示す図面である。
【図３−２】図３−１の床パネル支持脚の支持板による床パネルの連結状態を示す図面である。
【図４−１】請求項４の二重床材の一例を示す図面である。
【図４−２】請求項５の二重床材の一例を示す図面である。
【図５】従来の二重床材を示す図面である。
【図６】従来の上記とは別の二重床材を示す図面である。
【符号の説明】
【００３３】
１        床パネル支持脚
１１      支持板
１１０    突起
１１０１  突起の外側部位
１１０１  突起の外側部位
１１００  中央突起
２        床パネル
２１      天板
２２      格子状リブ
２２０    格子目
２２０１  格子目の四隅の直角コーナ
２２１    外周リブ
２２１ｘ  補助リブ
２２１ｙ  補助リブ
２２１０  補助格子目
【図１−１】
2005139786.tif 000003
【図１−２】
2005139786.tif 000004
【図１−３】
2005139786.tif 000005
【図２−１】
2005139786.tif 000006
【図２−２】
2005139786.tif 000007
【図２−３】
2005139786.tif 000008
【図２−４】
2005139786.tif 000009
【図３−１】
2005139786.tif 000010
【図３−２】
2005139786.tif 000011
【図４−１】
2005139786.tif 000012
【図４−２】
2005139786.tif 000013
【図５】
2005139786.tif 000014
【図６】
2005139786.tif 000015